(57)【要約】【課題】本発明は、開放状態で固定できる携帯装置用スライドカバー及び携帯装置を提供することを課題とする。【解決手段】本発明の一態様に係る携帯装置用スライドカバーは、携帯装置の装置本体の表面にスライド可能に装着され、前記装置本体が表面と平行かつスライド方向と交差する方向に移動可能に構成されるストッパーを有する板状の携帯装置用スライドカバーであって、前記スライド方向に沿って形成され、かつ一方側側面が前記ストッパーが当接するカム面とされる溝部を備え、前記カム面が、スライド方向に沿う複数個所に、前記ストッパーが入り込む複数の係合凹部を有することを特徴とする。【選択図】図４
2018125468.tif 000002
【特許請求の範囲】
【請求項１】
携帯装置の装置本体の表面にスライド可能に装着され、前記装置本体が表面と平行かつスライド方向と交差する方向に移動可能に構成されるストッパーを有する板状の携帯装置用スライドカバーであって、
前記スライド方向に沿って形成され、かつ一方側側面が前記ストッパーが当接するカム面とされる溝部を備え、
前記カム面が、スライド方向に沿う複数個所に、前記ストッパーが入り込む複数の係合凹部を有することを特徴とする携帯装置用スライドカバー。
【請求項２】
前記係合凹部を構成する壁面のうちスライド方向の閉方向側壁面がスライド方向と略垂直面で、開方向側壁面がスライド方向と開方向側に傾斜している請求項１に記載の携帯装置用スライドカバー。
【請求項３】
前記カム面が、
複数の係合凹部間に複数の移行凹部を有し、
前記係合凹部及び移行凹部間に平面視山状部が形成されている請求項２に記載の携帯装置用スライドカバー。
【請求項４】
前記カム面の山状部の傾斜角が、スライド方向の開方向側より閉方向側が小さくされている請求項３に記載の携帯装置用スライドカバー。
【請求項５】
前記溝部の前記カム面と反対側の側面が、前記スライド方向に直線状に延びている請求項１から請求項４のいずれか１項に記載の携帯装置用スライドカバー。
【請求項６】
前記装置本体に当接して閉鎖端を定め、前記溝部の開方向端部を前記ストッパーに当接させない規制部をさらに備える請求項１から請求項５のいずれか１項に記載の携帯装置用スライドカバー。
【請求項７】
請求項１から請求項４のいずれか１項に記載の携帯装置用スライドカバーと、
前記スライドカバーがスライド可能に装着され、前記スライドカバーの装着面と平行かつスライド方向と交差する方向に移動可能に構成されるストッパーを有する装置本体と
を備える携帯装置。
【発明の詳細な説明】
【技術分野】
【０００１】
本発明は、携帯装置用スライドカバー及び携帯装置に関する。
【背景技術】
【０００２】
例えば腰、腕等の人体の一部に取り付けて使用する携帯装置が用いられている。このような携帯装置の具体例としては、例えば特開２００７−１８１０８３号公報に記載のワイヤレスマイクロホン送信機が挙げられる。
【０００３】
このように、人体に取り付ける携帯装置では、人の動きにより、意図せず携帯装置に他の物体がぶつかるおそれがある。このため、このような携帯装置では、スイッチ等を装置の外面に配置すると、他の物体に当たって設定が変更されてしまう可能性がある。
【０００４】
このため、人体に取り付ける携帯装置は、意図しないスイッチ等の操作を防止するために、スイッチ等を凹部の中に形成したり、使用時に閉じられるカバーによってスイッチ等を覆うようにしたものも少なくない。
【０００５】
このような携帯装置用カバーとしては、装置本体の表面に沿ってスライド可能に装着されるスライドカバーが用いられている。このようなスライドカバーを用いる携帯装置としては、装置本体の表面に突出し、スライドカバーのスライド方向に垂直な方向に移動可能且つ一方向にばねで押圧されるストッパーを設け、スライドカバーに前記ストッパーが挿入される溝部を形成したものがある。前記溝部は、スライドカバーを閉鎖した状態でばねに押されたストッパーが入り込む凹部を有する構成とされる。
【０００６】
このような従来のスライドカバーを装着する携帯装置では、スイッチ等を操作する際に、スライドカバーが自重で閉じてしまうことや、スライドカバーが他物体にぶつかって閉じてしまうことがあり、操作を阻害するおそれがある。
【先行技術文献】
【特許文献】
【０００７】
【特許文献１】特開２００７−１８１０８３号公報
【発明の概要】
【発明が解決しようとする課題】
【０００８】
前記不都合に鑑みて、本発明は、開放状態で固定できる携帯装置用スライドカバー及び携帯装置を提供することを課題とする。
【課題を解決するための手段】
【０００９】
前記課題を解決するためになされた発明の一態様は、携帯装置の装置本体の表面にスライド可能に装着され、前記装置本体が表面と平行かつスライド方向と交差する方向に移動可能に構成されるストッパーを有する板状の携帯装置用スライドカバーであって、前記スライド方向に沿って形成され、かつ一方側側面が前記ストッパーが当接するカム面とされる溝部を備え、前記カム面が、スライド方向に沿う複数個所に、前記ストッパーが入り込む複数の係合凹部を有することを特徴とする携帯装置用スライドカバーである。
【００１０】
本発明の一態様の携帯装置用スライドカバーにおいて、前記係合凹部を構成する壁面のうちスライド方向の閉方向側壁面がスライド方向と略垂直面で、開方向側壁面がスライド方向と開方向側に傾斜していることが好ましい。
【００１１】
本発明の一態様の携帯装置用スライドカバーにおいて、前記カム面が、複数の係合凹部間に複数の移行凹部を有し、前記係合凹部及び移行凹部間に平面視山状部が形成されていることが好ましい。
【００１２】
本発明の一態様の携帯装置用スライドカバーにおいて、前記カム面の山状部の傾斜角が、スライド方向の開方向側より閉方向側が小さくされていることが好ましい。
【００１３】
本発明の一態様の携帯装置用スライドカバーにおいて、前記溝部の前記カム面と反対側の側面が、前記スライド方向に直線状に延びていることが好ましい。
【００１４】
本発明の一態様の携帯装置用スライドカバーは、前記装置本体に当接して閉鎖端を定め、前記溝部の開方向端部を前記ストッパーに当接させない規制部をさらに備えることが好ましい。
【００１５】
本発明の別の態様に係る携帯装置は、上述の携帯装置用スライドカバーと、前記スライドカバーがスライド可能に装着され、前記スライドカバーの装着面と平行かつスライド方向と交差する方向に移動可能に構成されるストッパーを有する装置本体とを備える携帯装置である。
【００１６】
ここで、「表面」とは、外側も面を意味し、携帯装置の特定の部位を企図しない。また、「閉方向」とは、スライドカバーを閉鎖する際にスライドカバーが移動する方向であって、「開方向」とはこの反対方向を意味する。このため、「閉方向」及び「開方向」は、溝部内でストッパーが移動する方向とは逆方向である。また、「略垂直」とは、相対角度が８０°以上１００°以下、好ましくは８５°以上９５°以下であることを意味する。
【発明の効果】
【００１７】
本発明の一態様に係る携帯装置用スライドカバーは、装置本体のストッパーが挿入される溝部が、複数の係合凹部を有するので複数の位置で、つまり閉鎖状態だけでなく開放状態でもスライドカバーを固定することができる。
【図面の簡単な説明】
【００１８】
【図１】本発明の一実施形態のワイヤレスマイク送信機を示す模式的斜視図である。
【図２】図１のワイヤレスマイク送信機の模式的側面図である。
【図３】図１のワイヤレスマイク送信機の模式的分解斜視図である。
【図４】図１のワイヤレスマイク送信機のスライドカバーの模式的背面図である。
【発明を実施するための形態】
【００１９】
以下、適宜図面を参照しつつ、本発明の実施の形態を詳説する。
【００２０】
［ワイヤレス送信機］
図１に、本発明に係る携帯装置の一実施形態であるワイヤレス送信機を示す。当該ワイヤレス送信機は、主にピンマイク（不図示）が接続され、ピンマイクが集音した音声信号を無線信号に変換して送信するために使用される。このワイヤレス送信機は、主にユーザーの腰のベルトに装着して使用される。
【００２１】
当該ワイヤレス送信機は、装置本体１と、この装置本体１の正面側（使用時にユーザーと反対側に配置される側）の表面に所定のスライド方向（上下方向）にスライド可能に装着され、それ自体が本発明の別の実施形態である板状のスライドカバー２とを備える。
【００２２】
また、当該ワイヤレス送信機は、図２に示すように、装置本体１の背面（使用時にユーザーに面する側に）、ユーザーのベルト等に装着するために設けられるクリップ３を有する。
【００２３】
本実施形態のワイヤレス送信機において、装置本体１は、図３に示すように、スライドカバー２の装着面（正面側表面）に、その装着面と平行かつスライド方向と交差する方向に移動可能に構成される一対のストッパー４を有する。より詳しくは、一対のストッパー４は、装置本体１の表面から突出するよう、左右対称に設けられ、概略左右方向に移動可能且つばね（不図示）によって左右方向外側に押圧されている。
【００２４】
一方、スライドカバー２は、装置本体１の表面に沿ってスライドして着脱される。また、スライドカバー２は、装置本体１上でスライドすることにより、装置本体１の正面側の表面全体を覆う閉鎖状態と、装置本体１の正面側の表面の一部を露出させる開放状態とを実現する。
【００２５】
スライドカバー２は、図４に示すように、裏面、つまり装置本体１の表面に対向する面に、そのスライド方向に沿って形成され、ストッパー４が挿入される溝部５を備える。具体的には、スライドカバー２は、左右対称に形成される一対の溝部５を有する。この一対の溝部５は、閉方向端部（上側端部）が互いに接続されると共にスライドカバー２の端面に開放するが、開方向端部（下側端部）は閉じている。
【００２６】
また、スライドカバー２は、両側部が装置本体１の両側面を覆うよう背面側に屈曲して延びるよう形成されることが好ましい。
【００２７】
また、スライドカバー２は、装置本体１の両側面を覆う部分の背面側の側縁近傍の内側に、閉方向端部が開放されたスライド溝６を有する。このスライド溝６は、閉方向端部がスライドカバー２の上側端面に開放されている。
【００２８】
また、スライドカバー２は、スライド溝６の開方向端部を閉じるよう形成される規制部７を有する。この規制部７は、装置本体１に当接してスライドカバー２の閉鎖端（スライドカバー２のスライドの閉方向端部）を定め、溝部５の開方向端部をストッパー４に当接させないようにする。
【００２９】
装置本体１は、図３に示すように、表面に突出するよう形成され、溝部５に挿入される一対の摺動突起８を有する。
【００３０】
また、装置本体１は、スライドカバー２に覆われる領域に、当該ワイヤレス送信機のオンオフや設定操作を行うためのスイッチ９と、電池収納部１０とを有する。
【００３１】
また、装置本体１は、両側面に、スライドカバー２のスライド溝６に挿入されるガイドレール１１を有する。
【００３２】
また、装置本体１は、下面に、内部の駆動機構（不図示）を介してストッパー４を左右方向内側に移動させる操作部材１２を有する。
【００３３】
さらに、装置本体１は、上面に、ピンマイクを接続するためのコネクタ（不図示）を有する。
【００３４】
＜装置本体＞
装置本体１は、ピンマイクから入力される音声信号を電波信号に変換して送信するための電気回路を構成する回路基板を収容する。この電気回路には、電池収納部１０に配置される電池から電力が供給される。
【００３５】
＜スライドカバー＞
スライドカバー２は、スライド溝６を装置本体１のガイドレール１１に下方から挿入し、装置本体１に対して上方にスライドさせることで装着される。
【００３６】
このスライドカバー２は、例えば樹脂を射出成型して形成してもよいが、例えばアルミニウム等の金属によって形成することが好ましい。このようにスライドカバー２を金属で形成することで、当該ワイヤレス送信機の強度を向上することができる。
【００３７】
＜ストッパー＞
一対のストッパー４は、装置本体１に一定の範囲内で略左右方向に移動可能に設けられている。一対のストッパー４は、操作部材１２を装置本体１の内部に向かって押し込むことで、装置本体１内の駆動機構により、互いの距離を縮めるよう左右方向中央側に移動させられる。
【００３８】
より詳しくは、ストッパー４は、装置本体１で揺動可能なアームによって支持されている。このため、ストッパー４は、移動範囲の外側端部において左右方向に移動し、内側に移動するに従って移動方向が下向きに傾斜するが、溝部５の側壁に当接する範囲内での移動方向は概略左右方向となっている。
【００３９】
また、ストッパー４は、溝部５に沿って摺動するので、摩擦を低減するために左右方向外側の端面と上下方向の端面との角が丸く面取りされている。
【００４０】
＜溝部＞
溝部５は、一方側側面、具体的には左右方向外側の側面がストッパー４が当接するカム面１３とされる。
【００４１】
このカム面１３は、ストッパー４を受け入れて装置本体１との相対位置を固定する複数の係合凹部（閉方向先端側から順に第１係合凹部１４、第２係合凹部１５及び第３係合凹部１６）をそれぞれ有する。
【００４２】
閉方向に最も先端側の第１係合凹部１４は、装置本体１のスイッチ９及び電池収納部１０を共に露出させる位置にスライドカバー２を固定する。次の第２係合凹部１５は、装置本体１のスイッチ９を露出させながら電池収納部１０を覆い隠す位置にスライドカバー２を固定する。閉方向に最も後端側（開方向先端側）の第３係合凹部１６は、装置本体１の表面全体を覆い隠す閉鎖位置にスライドカバー２を固定する。
【００４３】
また、溝部５は、係合凹部１４，１５，１６の間に、ストッパー４を受け入れてスライドカバー２の装置本体１に対する相対移動時の摩擦を低減する移行凹部（第１移行凹部１７及び第２移行凹部１８）を有する。
【００４４】
また、溝部５のストッパー４が押圧される側と反対側（装置本体１の左右方向中央側）の側面は、スライド方向に直線状に延びるガイド部１９とされている。
【００４５】
また、溝部５は、閉方向端部に、開放側に向かって幅を大きくする拡大部２０を有することが好ましい。
【００４６】
さらに、溝部５は、開方向に最も先端側の第３係合凹部１６からさらに開方向に延びており、スライドカバー２を閉鎖した状態で摺動突起８を受け入れるスペースを形成している。
【００４７】
（係合凹部）
係合凹部１４，１５，１６は、閉方向側にスライド方向に対して垂直な係止壁部２１を有し、開方向側（下側）に奧側（左右方向外側）ほど係止壁部２１との距離が小さくなるよう傾斜した圧力壁部２２を有する。これらの係止壁部２１及び圧力壁部２２と溝部５の隣接部分との境界部分は正面から見て丸く面取りされていることが好ましい。
【００４８】
係合凹部１４，１５，１６の奧壁は、左右方向の移動範囲の外側端部に位置するストッパー４との間に僅かに隙間を形成し、ストッパー４の端面に当接しないようにしてもよい。また、係合凹部１４，１５，１６の奧壁のスライドカバー２のスライド方向長さをストッパー４のスライドカバー２のスライド方向長さより小さくし、ストッパー４が係止壁部２１及び圧力壁部２２に当接する状態でスライドカバー２を遊びなく固定するようにしてもよい。
【００４９】
係止壁部２１は、係合凹部１４，１５，１６にストッパー４が入り込んでいる状態でスライドカバー２を開方向に移動してスライドカバー２の開度を大きくしようとすると、ストッパー４に当接することによってスライドカバー２の開方向への移動を規制する。このため、係合凹部１４，１５，１６にストッパー４が入り込んで固定されているスライドカバー２を開方向に移動させる場合、操作部材１２を押し込んでストッパー４を左右方向中央側に移動させて係合凹部１４，１５，１６から脱離させる必要があるので、意図せずにスライドカバー２の開度が大きくなることを防止できる。
【００５０】
閉方向に最も先端側の第１係合凹部１４の係止壁部２１の左右方向長さは、他の係合凹部１５，１６の係止壁部２１の左右方向長さよりも大きいことが好ましい。このように、最も先端側の第１係合凹部１４の係止壁部２１の左右方向長さを大きくすることによって、スライドカバー２を装置本体１上での開度を大きくする場合よりも、スライドカバー２を装置本体１から取り外す場合には、操作部材１２をより深く押し込むことが必要となる。このため、スライドカバー２の開度を大きくしてスイッチ９や電池収納部１０を露出させる際に誤ってスライドカバー２を装置本体１から脱離させてしまうことを防止できる。
【００５１】
閉方向に最も先端側以外の係合凹部１５，１６の係止壁部２１のスライド方向に垂直な方向の高さ（係合凹部１５，１６の有効深さ）の下限としては、２ｍｍが好ましく、３ｍｍがより好ましい。一方、前記係止壁部２１の高さの上限としては、８ｍｍが好ましく、７ｍｍがより好ましい。前記係止壁部２１の高さが前記下限に満たない場合、スライドカバー２の固定が不確実となり、意図せずにスライドカバー２が開放されることを防止できないおそれがある。逆に、前記係止壁部２１の高さが前記上限を超える場合、ストッパー４を係合凹部１５，１６から脱離させてスライドカバー２の開度を大きくすることが容易でなくなるおそれがある。
【００５２】
一方、圧力壁部２２は、係合凹部１４，１５にストッパー４が入り込んでいる状態でスライドカバー２を閉方向に押圧すると、圧力壁部２２の傾斜によってストッパー４をばねの押圧力に反して左右方向内側に押し込んで、スライドカバー２が閉方向に移動して開度を小さくして装置本体１の表面を覆うことを可能にする。
【００５３】
この圧力壁部２２の閉方向に対する傾斜角度の下限としては、１０°が好ましく３０°がより好ましい。一方、圧力壁部２２の閉方向に対する傾斜角度の上限としては、６０°が好ましく、４５°がより好ましい。圧力壁部２２の閉方向に対する傾斜角度が前記下限に満たない場合、ストッパー４が係合凹部１４，１５，１６に入り込んだ状態でのスライドカバー２の固定が不確実となり、意図せずにスライドカバー２が閉じることを防止できないおそれがある。逆に、圧力壁部２２の閉方向に対する傾斜角度が前記上限を超える場合、ストッパー４を係合凹部１４，１５，１６から脱離させてスライドカバー２を閉鎖することが容易でなくなるおそれがある。
【００５４】
圧力壁部２２のスライド方向に垂直な方向の高さとしては、上述の閉方向に最も先端側以外の係合凹部１５，１６の係止壁部２１のスライド方向に垂直な方向の高さと等しいことが好ましい。
【００５５】
（移行凹部）
移行凹部１７，１８は、前記スライド方向両側に奧側ほど相互の距離が小さくなるよう傾斜した一対の移行壁部２３を有する。この移行壁部２３は、係合凹部１５，１６の圧力壁部２２と共に、係合凹部１５，１６と移行凹部１７，１８との間に平面視で山状部２４を形成する。
【００５６】
この移行壁部２３と圧力壁部２２とによって形成される山状部２４は、ストッパー４が係合凹部１５，１６に係合する際及び係合凹部１５，１６から脱離する際に一瞬スライドカバーの開閉の抵抗を増大させ、ストッパー４の係合凹部１５，１６に対する着脱をユーザーに認識させるいわゆるクリック感を創出する。この山状部２４の頂点は正面から見て丸く面取りされていることが好ましい。
【００５７】
移行凹部１７，１８の奧壁は、移行凹部１７，１８の中央部でのストッパー４と溝部５との摩擦をなくすことができるよう、左右方向の移動範囲の外側端部に位置するストッパー４との間に僅かに隙間を形成し、ストッパー４の端面に当接しないようにすることが好ましい。
【００５８】
移行壁部２３は、スライドカバー２をスライドさせる際、その傾斜によってストッパー４をばねの押圧力に反して左右方向内側に押し込んで、移行凹部１７，１８からストッパー４を脱離させて係合凹部１４，１５，１６に入り込ませること、つまりスライドカバー２を所定の固定位置に固定することを可能にする。
【００５９】
移行壁部２３のスライド方向に垂直な方向の高さとしては、上述の閉方向に最も先端側以外の係合凹部１５，１６の係止壁部２１のスライド方向に垂直な方向の高さと等しいことが好ましい。
【００６０】
この移行壁部２３の閉方向に対する傾斜角度は、上述の圧力壁部２２の閉方向に対する傾斜角度よりも小さいことが好ましい。これにより、ストッパー４を係合凹部１４，１５，１６に入り込ませる際に必要な力が、ストッパー４を係合凹部１４，１５，１６から脱離させる際に必要な力よりも小さくなり、所望の固定位置にスライドカバー２を固定することが容易となる。
【００６１】
具体的には、移行壁部２３の閉方向に対する傾斜角度の下限としては、１０°が好ましく、３０°がより好ましい。一方、移行壁部２３の閉方向に対する傾斜角度の上限としては、６０°が好ましく、４５°がより好ましい。移行壁部２３の閉方向に対する傾斜角度が前記下限に満たない場合、ストッパー４の摩擦を低減する効果が不必要に小さくなるおそれがある。逆に、移行壁部２３の閉方向に対する傾斜角度が前記上限を超える場合、ストッパー４を係合凹部１４，１５，１６に嵌め込む際に必要な力が大きくなり、勢い余ってストッパー４が係合凹部１４，１５，１６を通り過ぎ、スライドカバー２を所望の固定位置に固定することができないおそれがある。
【００６２】
（ガイド部）
ガイド部１９は、摺動突起８に当接することにより、スライドカバー２を装置本体１に対して左右方向に位置決めしてスライド方向に真っ直ぐスライドさせる。
【００６３】
（拡大部）
拡大部２０は、操作部材１２を使用しなくても、その傾斜によりストッパー４を左右方向中央側に押し込んでストッパー４を溝部５に挿入できるようにするために設けられる。このため、拡大部２０の開口部における位置は、ストッパー４の左右方向の移動範囲の外側端部位置より外側とされる。
【００６４】
＜摺動突起＞
摺動突起８は、装置本体１の表面のストッパー４よりも閉方向端部側に配設されることが好ましい。これにより、スライドカバー２を装置本体１に装着する際、最初に摺動突起８を溝部のガイド部１９に当接させてスライドカバー２を装置本体１に対して左右方向に位置決めすることによって、ストッパー４を前記拡大部２０に当接させて左右方向内側に押し込むことができる。
【００６５】
スライドカバー２の装置本体１に対する位置決めをより容易にするために、摺動突起８の閉方向の端部が左右方向外側に向かって傾斜していることが好ましい。
【００６６】
＜スライド溝＞
スライドカバー２に設けられるスライド溝６は、装置本体１のガイドレール１１が挿入され、スライドカバー２のスライド方向のスライドを案内すると共に、スライドカバー２の左右方向の端部が装置本体１から浮き上がることを防止する。
【００６７】
＜規制部＞
スライドカバー２の規制部７は、装置本体１のガイドレール１１の開方向側の端面に当接することによって、スライドカバー２の閉鎖端を定めるよう構成されている。このように、スライドカバー２の閉鎖端を、移動可能に配設されるストッパー４と溝部５の開方向の奧端との当接によって定めるのではなく、装置本体１の固定部分に当接する規制部７によって定めることで、スライドカバー２の閉鎖位置をより正確に定めることができる。
【００６８】
＜利点＞
以上のように、本発明に係る携帯装置の一実施形態であるワイヤレス送信機は、本発明の別の実施形態に係るスライドカバー２、つまり複数の係合凹部１４，１５，１６を有する溝部５を有するスライドカバー２を備えるので、スライドカバー２を複数の開度で装置本体１に対して固定することができるので、スイッチ９による当該ワイヤレス送信機の設定操作、電池収納部１０に収容される電池の交換等の作業を容易にすることができる。
【００６９】
当該ワイヤレス送信機において、溝部５の係合凹部１４，１５，１６が係止壁部２１及び圧力壁部２２を有するため、固定状態のスライドカバー２を開放する場合にはストッパー４を操作する必要があるの。このため、当該ワイヤレス送信機は、誤ってスライドカバー２が開放されない。一方、当該ワイヤレス送信機は、スライドカバー２を閉鎖方向に少し強い力で動かすことで圧力壁部２２の傾斜を利用してストッパー４を移動させてスライドカバー２を閉鎖することができる。このように、当該ワイヤレス送信機は、スライドカバーの開閉操作が比較的容易である。
【００７０】
スライドカバー２は、溝部５が係合凹部１４，１５，１６の間にストッパー４を受け入れて装置本体１との相対移動時の摩擦を低減する移行凹部１７，１８を有するので、開閉操作を容易に行うことができると共に、ストッパー４の摩耗を低減することもできる。
【００７１】
また、移行凹部１７，１８がスライド方向両側に奧側ほど相互の距離が小さくなるよう傾斜した一対の移行壁部２３を有するので、ストッパー４が係合凹部１４，１５，１６の間をスムーズに移動できるため、当該ワイヤレス送信機はスライドカバー２の開閉操作がさらに容易になっている。
【００７２】
また、圧力壁部２２のスライド方向に対する傾斜角度が、移行壁部２３のスライド方向に対する傾斜角度よりも大きいので、当該イヤレス送信機は、スライドカバー２を固定位置に移動させる際に必要な力がスライドカバー２を固定位置から移動させる際に必要な力よりも小さくなり、スライドカバー２の操作性に優れる。
【００７３】
また、スライドカバー２は、溝部５のストッパー４が押圧される側と反対側の側壁がスライドカバー２を案内するガイド部とされているので、開閉がスムーズである。
【００７４】
また、スライドカバー２は、装置本体１のガイドレール１１の端部に当接して閉鎖端を定める規制部７を有し、溝部５の開方向端部をストッパー４に当接させないよう構成されているので、閉鎖状態でスライドカバー２と装置本体１との相対位置が正確であり、閉鎖状態でのスライドカバー２と装置本体１との一体性に優れる。
【００７５】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００７６】
本発明の実施形態に係る携帯装置用スライドカバーは、一対の溝部の隣接し合う側壁が係合凹部や移行凹部を有するものであってもよい。
【００７７】
本発明の実施形態に係る携帯装置用スライドカバーは、溝部が移行凹部を有しないものであってもよい。
【００７８】
本発明の実施形態に係る携帯装置用スライドカバーの溝部は、２つの係合凹部を有するものであってもよく、４つ以上の係合凹部を有するものであってもよい。
【００７９】
本発明の実施形態に係る携帯装置用スライドカバーの溝部は、ガイド部を有しないものであってもよい。また、本発明の実施形態に係る携帯装置は、摺動突起を有しないものであってもよい。
【００８０】
本発明の実施形態に係る携帯装置用スライドカバーは、溝部を１つだけ有するものであってもよい。この場合、本発明の実施形態に係る携帯装置の装置本体は、ストッパーを１つだけ有するものとすることができる。
【００８１】
本発明の実施形態に係る携帯装置用スライドカバーは、装置本体の側面を覆う部分に溝部を有するものであってもよい。
【００８２】
本発明の実施形態に係る携帯装置用スライドカバーの溝部は、係合凹部の両側の側壁が共にスライド方向に垂直な係止壁部とされてもよく、共に傾斜を有してもよい。この場合、係合凹部の閉方向側の側壁の傾斜角度は、脱離側の側壁の傾斜角度よりも大きいことが好ましい。
【００８３】
本発明の実施形態に係る携帯装置用スライドカバーの規制部は、装置本体に当接してスライドカバーの閉鎖端を定められるものであればどこに設けられてもよく、装置本体のガイドレール以外の部位に当接してもよい。また、携帯装置用スライドカバーの規制部に当接しスライドカバーの閉鎖端を定める構造体を装置本体に追加してもよい。
【００８４】
本発明の実施形態に係る携帯装置は、ピンマイク用ワイヤレス送信機に限られず、楽器用トランスミッター等の他のワイヤレス送信機、各種リモコン、歩数計、カプセル内視鏡用受信機など、多様な携帯装置に広く適用できる。
【産業上の利用可能性】
【００８５】
本発明の実施形態に係る携帯装置用スライドカバーは、ワイヤレスマイク用ボディーパック型送信機に特に好適に用いられる。
【符号の説明】
【００８６】
１  装置本体
２  スライドカバー
３  クリップ
４  ストッパー
５  溝部
６  スライド溝
７  規制部
８  摺動突起
９  スイッチ
１０  電池収納部
１１  ガイドレール
１２  操作部材
１３  溝部
１４，１５，１６  係合凹部
１７，１８  移行凹部
１９  ガイド部
２０  拡大部
２１  係止壁部
２２  圧力壁部
２３  移行壁部
２４  山状部
【図１】
2018125468.tif 000003
【図２】
2018125468.tif 000004
【図３】
2018125468.tif 000005
【図４】
2018125468.tif 000006